(57)【要約】      （修正有）【課題】空調装置の動力を低減する複合空調装置を提供する。【解決手段】複数のサイクルを用いて、従来、凝縮器から大気に放出され、捨てられていた未利用の熱エネルギーを活用する。冷房において、第２サイクルに冷凍サイクルを用いる場合は、まず第１サイクルの圧縮機１により圧縮された第１サイクルの冷媒は凝縮器３に流入し、第２サイクルの冷媒を昇温する。そして第１サイクルの冷媒は膨張弁２を通過し第１室内熱交換器５ａにより冷房を行う。また第１サイクルの冷媒により凝縮器において昇温された、第２サイクルの冷媒は、熱交換器４を経て第２サイクルの膨張弁２０を通過して第２室内熱交換器５ｂにより冷房を行い、冷媒ポンプ６により昇圧されて凝縮器に戻る。これにより第１室内熱交換器の冷房能力に、従来、大気に放出され、捨てられていた熱エネルギーを活用した、第２室内熱交器の冷房能力が加えられるので、大幅な冷房効率の向上となる。【選択図】図１
2016001098.tif 000002
【特許請求の範囲】
【請求項１】
圧縮機に凝縮器と受液器（図示略）と膨張弁と室内熱交換器と熱交換器を冷媒が循環する様に順番に冷媒配管で接続した逆カルノーサイクルの冷凍サイクルの第１サイクルと、第１サイクルの凝縮器と熱交換器に第２の受液器（図示略）と第２の膨張弁と第２の室内熱交換器と冷媒ポンプとを冷媒が循環する様に順番に冷媒配管で接続した冷凍サイクルの、第２サイクルからなる複合サイクルを有する複合空調装置において、従来、凝縮器から冷媒を冷却するために大気に放出され、捨てられていた、未利用の熱エネルギーを活用して、第１サイクルの冷媒と、第２サイクルの冷媒を熱交換し利用する事により、全体の空調能力と空調効率を向上させる事ができることを特徴とする複合空調装置。
【請求項２】
圧縮機に凝縮器と受液器（図示略）と膨張弁と室内熱交換器と熱交換器を冷媒が循環する様に順番に冷媒配管で接続した逆カルノーサイクルの冷凍サイクルの第１サイクルと、第１サイクルの凝縮器に第２サイクルの発電機を組み付けられた膨張機と第１サイクルの熱交換器と冷媒ポンプを冷媒が循環する様に順番に冷媒配管で接続した発電サイクルの、第２サイクルからなる複合サイクルを有する複合空調装置において、第１サイクルの圧縮機により高温となった冷媒との凝縮器における熱交換により、第２サイクルの冷媒を昇温し、その膨張力による第２サイクル膨張機の駆動力で発電を行い、利用する事により消費電力を大幅に低減する事ができることを特徴とする複合空調装置。
【請求項３】
冷房において、圧縮機に凝縮器と受液器（図示略）と膨張弁と第１室内熱交換器と熱交換器を冷媒が循環する様に順番に冷媒配管で接続した逆カルノーサイクルの冷凍サイクルの第１サイクルと、第１サイクルの凝縮器と熱交換器に第２の受液器（図示略）と第２の膨張弁と第２室内熱交換器と冷媒ポンプとを冷媒が循環する様に順番に冷媒配管で接続した冷凍サイクルの、第２サイクルからなる複合サイクルを有する複合空調装置において、従来、凝縮器から冷媒を冷却するために大気に放出されていた、未利用の熱エネルギーを活用して、凝縮器により、第２サイクルの冷媒を昇温し、膨張弁により膨張させ、第２サイクルの第２室内熱交換器を介して冷房を行い、従来の第１サイクルの第１室内熱交換器の冷房能力に加える事により、全体の冷房能力と冷房効率を向上させる事ができることを特徴とする複合空調装置。
【請求項４】
冷房において、圧縮機に凝縮器と受液器（図示略）と膨張弁と第１室内熱交換器と熱交換器を冷媒が循環する様に順番に冷媒配管で接続した逆カルノーサイクルの冷凍サイクルの第１サイクルと、第１サイクルの凝縮器と第２サイクルの発電機を組み付けられた膨張機と第１サイクルの熱交換器と冷媒ポンプを冷媒が循環する様に順番に冷媒配管で接続した発電サイクルの、第２サイクルからなる複合サイクルを有する複合空調装置において、第１サイクルの圧縮機により高温となった冷媒との凝縮器における熱交換により、第２サイクルの冷媒を昇温し、その膨張力による第２サイクル膨張機の駆動力で発電を行い、従来の第１サイクルの第１室内熱交換器の冷房能力に加える事により、全体の冷房能力と冷房効率を向上させる事ができることを特徴とする複合空調装置。
【請求項５】
暖房において、圧縮機に室内熱交換器と凝縮器と受液器（図示略）と膨張弁と第１熱交換器を冷媒が循環する様に順番に冷媒配管で接続した逆カルノーサイクルの冷凍サイクルの第１サイクルと、第１サイクルの凝縮器に第２室内熱交換器と第１サイクルの熱交換器と第２の受液器（図示略）と第２の膨張弁と冷媒ポンプとを冷媒が循環する様に順番に冷媒配管で接続した冷媒サイクルの、第２サイクルからなる複合サイクルを有する複合空調装置において、従来、凝縮器から冷媒を冷却するために大気に放出されていた、未利用の熱エネルギーを活用して、凝縮器により、第２サイクルの冷媒を昇温し、第２サイクルの第２室内熱交換器を介して暖房を行い、従来の第１サイクルの室内熱交換器の暖房能力に加える事により、全体の暖房能力と暖房効率を向上させる事ができることを特徴とする複合空調装置。
【請求項６】
暖房において、圧縮機に第１室内熱交換器と凝縮器と受液器（図示略）と膨張弁と熱交換器を冷媒が循環する様に順番に冷媒配管で接続した逆カルノーサイクルの冷凍サイクルの第１サイクルと、第１サイクルの凝縮器に第２サイクルの発電機を組み付けられた膨張機と第１サイクルの熱交換器と冷媒ポンプとを冷媒が循環する様に順番に冷媒配管で接続した発電サイクルの、第２サイクルからなる複合サイクルを有する複合空調装置において、第１サイクルの圧縮機により高温となった冷媒との凝縮器における熱交換により、第２サイクルの冷媒を昇温し、その膨張力による第２サイクル膨張機の駆動力で発電を行い、従来の第１サイクルの第１室内熱交換器の暖房能力に加える事により、全体の暖房能力と暖房効率を向上させる事ができることを特徴とする複合空調装置。
【請求項７】
冷房において、圧縮機に凝縮器と受液器（図示略）と膨張弁と第１室内熱交換器と熱交換器を冷媒が循環する様に順番に冷媒配管で接続した逆カルノーサイクルの冷凍サイクルの第１サイクルと、第１サイクルの凝縮器と熱交換器に第２の受液器（図示略）と第２の膨張弁と第２室内熱交換器と冷媒ポンプとを冷媒が循環する様に順番に冷媒配管で接続した冷凍サイクルの、第２サイクルからなる複合サイクルを有する複合空調装置において、従来、凝縮器から冷媒を冷却するために大気に放出されていた、未利用の熱エネルギーを活用して、凝縮器により、第２サイクルの冷媒を昇温し、膨張弁により膨張させ、第２サイクルの第２室内熱交換器を介して冷房を行い、従来の第１サイクルの第１室内熱交換器の冷房能力に加える事により、全体の冷房能力と冷房効率を向上させるため、第２サイクルの冷媒の循環量を温度センサーにより検知して制御し、常に最適な温度と循環量を保つ事ができる様にした事を特徴とする複合空調装置。
【請求項８】
暖房において、圧縮機に第１室内熱交換器と凝縮器と受液器（図示略）と膨張弁と熱交換器を冷媒が循環する様に順番に冷媒配管で接続した逆カルノーサイクルの冷凍サイクルの第１サイクルと、第１サイクルの凝縮器に第２室内熱交換器と第１サイクルの熱交換器と第２の受液器（図示略）と第２の膨張弁と冷媒ポンプとを冷媒が循環する様に順番に冷媒配管で接続した冷媒サイクルの、第２サイクルからなる複合サイクルを有する複合空調装置において、従来、凝縮器から冷媒を冷却するために大気に放出されていた、未利用の熱エネルギーを活用して、凝縮器により、第２サイクルの冷媒を昇温し、第２サイクルの第２室内熱交換器を介して暖房を行い、従来の第１サイクルの第１室内熱交換器の暖房能力に加える事により、全体の暖房能力と暖房効率を向上させるため、第２サイクルの冷媒の循環量を温度センサーにより検知して制御し、常に最適な温度と循環量を保つ事ができる様にした事を特徴とする複合空調装置。
【請求項９】
冷房において、第１サイクルは、圧縮機と凝縮器と受液器（図示略）と膨張弁と第１室内熱交換器と熱交換器を冷媒が循環する様に順番に冷媒配管で接続し、圧縮機により圧縮され、高温、高圧となった第１サイクルの冷媒が凝縮器に流入し、第２サイクルの冷媒と熱交換を行い、受液器（図示略）を経て膨張弁に流入した後、低温、低圧となり、第１室内熱交換器に流入し冷房を行い、熱交換器において第２サイクルの冷媒と熱交換を行い、圧縮機に戻る事により、冷凍サイクルが構成されている。第２サイクルは、第１サイクルの凝縮器と第１サイクルの熱交換器と第２受液器（図示略）と第２膨張弁と第２室内熱交換器と冷媒ポンプを冷媒が循環する様に順番に冷媒配管で接続し凝縮器に戻る事により、冷凍サイクルが構成されている。凝縮器において第１サイクルの冷媒と熱交換し高温、高圧となった第２サイクルの冷媒が、熱交換器に流入し、第１サイクルの冷媒と熱交換を行い、受液器（図示略）を経て第２サイクルの膨張弁に流入し、低温、低圧となり、第２室内熱交換器に流入し、冷房を行い、冷媒ポンプに入り、昇圧され凝縮器に戻る事により、第２サイクルの冷凍サイクルが構成されている。従来、凝縮器から冷媒を冷却するために大気に放出されていた、第１サイクルの未利用の熱エネルギーを、凝縮器における第２サイクルの冷媒との熱交換により活用し、第２サイクルの膨張弁により膨張させ低温、低圧となった冷媒により第２室内熱交換器において冷房を行う。この様に従来の第１サイクルの第１室内熱交換器の冷房能力に、第２サイクルの第２室内熱交換器の冷房能力加える事により、全体の冷房能力と冷房効率を大幅に向上させる事ができることを特徴とする複合空調装置。
【請求項１０】
冷房において、第１サイクルは、圧縮機と四方弁と凝縮器と受液器（図示略）と膨張弁と第１室内熱交換器と熱交換器を冷媒が循環する様に順番に冷媒配管で接続し、圧縮機により圧縮され、高温、高圧となった第１サイクルの冷媒が凝縮器に流入し、第２サイクルの冷媒と熱交換を行い、受液器（図示略）を経て膨張弁に流入した後、低温、低圧となり、第１室内熱交換器に流入し冷房を行い、再び熱交換器において第２サイクルの冷媒と熱交換を行い、圧縮機に戻る事により、冷凍サイクルが構成されている。第２サイクルの発電サイクルは、第１サイクルの凝縮器と第２受液器（図示略）と第２サイクルの発電機を組み付けられた膨張機と第１サイクルの熱交換器と冷媒ポンプを冷媒が循環する様に順番に冷媒配管で接続し、凝縮器において第１サイクルの冷媒と熱交換し高温、高圧となった冷媒が、発電機を組み付けられた膨張機に流入し、発電を行い、低温、低圧となり、第１サイクルの熱交換器に流入し熱交換を行い、冷媒ポンプに入り昇圧され凝縮器に戻る事により、構成されている。従来、凝縮器から冷媒を冷却するために大気に放出されていた、第１サイクルの未利用の熱エネルギーを、凝縮器における第２サイクルの冷媒との熱交換により活用し、第２サイクルの冷媒を昇温し、その膨張力による第２サイクルの発電能力に、従来の第１サイクルの第１室内熱交換器の冷房能力に加える事により、全体の冷房能力と冷房効率を向上させる事ができることを特徴とする複合空調装置。
【請求項１１】
暖房において、第１サイクルは、圧縮機と第１室内熱交換器と凝縮器と受液器（図示略）と膨張弁と熱交換器を冷媒が循環する様に順番に冷媒配管で接続し、圧縮機により圧縮され、高温、高圧となった第１サイクルの冷媒が第１室内熱交換器に流入し暖房を行い、凝縮器に流入し、第２サイクルの冷媒と熱交換を行い、受液器（図示略）を経て膨張弁に流入した後、低温、低圧となり、熱交換器において第２サイクルの冷媒と熱交換を行い、圧縮機に戻る事により、冷凍サイクルが構成されている。第２サイクルは、第１サイクルの凝縮器と第２室内熱交換器と第１サイクルの熱交換器と第２受液器（図示略）と第２サイクルの膨張弁と冷媒ポンプを冷媒が循環する様に順番に冷媒配管で接続し、凝縮器において第１サイクルの冷媒と熱交換し高温、高圧となった冷媒が、第２室内熱交換器に流入し、暖房を行った後に第１サイクルの熱交換器に流入し熱交換を行い、第２受液器（図示略）を経て第２の膨張弁において膨張し低温、低圧となり冷媒ポンプに入り、昇圧され凝縮器に戻る事により、冷凍サイクルが構成されている。従来、凝縮器から冷媒を冷却するために大気に放出されていた、第１サイクルの未利用の熱エネルギーを、凝縮器における第２サイクルの冷媒との熱交換により活用し、第２サイクルの高温、となった冷媒により第２室内熱交換器において暖房を行う。この様に従来の第１サイクルの第１室内熱交換器の暖房能力に、第２サイクルの第２室内熱交換器の暖房能力加える事により、全体の暖房能力と暖房効率を大幅に向上させる事ができることを特徴とする複合空調装置。
【請求項１２】
暖房において、第１サイクルは、圧縮機と第１室内熱交換器と凝縮器と受液器（図示略）と膨張弁と熱交換器を冷媒が循環する様に順番に冷媒配管で接続し、圧縮機により圧縮され、高温、高圧となった第１サイクルの冷媒が第１室内熱交換器に流入し暖房を行った後に凝縮器に流入し、第２サイクルの冷媒と熱交換を行い、受液器（図示略）を経て膨張弁に流入した後に低温、低圧となり、熱交換器において第２サイクルの冷媒と熱交換を行い、圧縮機に戻る事により、冷凍サイクルが構成されている。第２サイクル発電サイクルは、第１サイクルの凝縮器と第２サイクルの発電機を組み付けられた膨張機と第１サイクルの熱交換器と冷媒ポンプを冷媒が循環する様に順番に冷媒配管で接続し、凝縮器において第１サイクルの冷媒と熱交換し高温、高圧となった冷媒が、第２サイクルの発電機を組み付けられた膨張機に流入し、発電を行い、熱交換器において第１サイクルの冷媒と熱交換を行い、冷媒ポンプにより昇圧され、凝縮器に戻る事により、構成されている。従来、凝縮器から冷媒を冷却するために大気に放出されていた、第１サイクルの未利用の熱エネルギーを、凝縮器における第２サイクルの冷媒との熱交換により活用し、第２サイクルの高温、となった冷媒により第２サイクルの膨張機において発電を行う。この様に従来の第１サイクルの第１室内熱交換器の暖房能力に、第２サイクルの発電能力を加える事により、全体の暖房能力と暖房効率を大幅に向上させる事ができることを特徴とする複合空調装置。
【請求項１３】
冷房において、第１サイクルは、圧縮機と四方弁と凝縮器と受液器（図示略）と膨張弁と四方弁と第１室内熱交換器と四方弁と熱交換器を冷媒が循環する様に順番に冷媒配管で接続し、圧縮機により圧縮され、高温、高圧となった第１サイクルの冷媒が四方弁を介し凝縮器に流入し、第２サイクルの冷媒と熱交換を行い、受液器（図示略）を経て膨張弁に流入した後、低温、低圧となり、四方弁を経て、第１室内熱交換器に流入し冷房を行い、再び四方弁を経て、熱交換器において第２サイクルの冷媒と熱交換を行い、圧縮機に戻る事により、冷凍サイクルが構成されている。第２サイクルは、第１サイクルの凝縮器と四方弁と第１サイクルの熱交換器と第２受液器（図示略）と第２膨張弁と四方弁と第２室内熱交換器と冷媒ポンプを冷媒が循環する様に順番に冷媒配管で接続し凝縮器に戻る事により、冷凍サイクルが構成されている。凝縮器において第１サイクルの冷媒と熱交換し高温、高圧となった第２サイクルの冷媒が、四方弁を介して熱交換器に流入し、第１サイクルの冷媒と熱交換を行い、受液器（図示略）を経て第２サイクルの膨張弁に流入し、低温、低圧となり、さらに四方弁を経て第２室内熱交換器に流入し、冷房を行い、冷媒ポンプに入り、昇圧され凝縮器に戻る事により、第２サイクルの冷凍サイクルが構成されている。従来、凝縮器から冷媒を冷却するために大気に放出されていた、第１サイクルの未利用の熱エネルギーを、凝縮器における第２サイクルの冷媒との熱交換により活用し、第２サイクルの膨張弁により膨張させ低温、低圧となった冷媒により第２室内熱交換器において冷房を行う。この様に従来の第１サイクルの第１室内熱交換器の冷房能力に、第２サイクルの第２室内熱交換器の冷房能力加える事により、全体の冷房能力と冷房効率を大幅に向上させる事ができることを特徴とする複合空調装置。
【請求項１４】
冷房において、第１サイクルは、圧縮機と四方弁と凝縮器と受液器（図示略）と膨張弁と四方弁と第１室内熱交換器と四方弁と熱交換器を冷媒が循環する様に順番に冷媒配管で接続し、圧縮機により圧縮され、高温、高圧となった第１サイクルの冷媒が四方弁を介し凝縮器に流入し、第２サイクルの冷媒と熱交換を行い、受液器（図示略）を経て膨張弁に流入した後、低温、低圧となり、四方弁を経て、第１室内熱交換器に流入し冷房を行い、再び四方弁を経て、熱交換器において第２サイクルの冷媒と熱交換を行い、圧縮機に戻る事により、冷凍サイクルが構成されている。第２サイクルの発電サイクルは、第１サイクルの凝縮器と第２受液器（図示略）と第２サイクルの発電機を組み付けられた膨張機と第１サイクルの熱交換器と冷媒ポンプを冷媒が循環する様に順番に冷媒配管で接続し、凝縮器において第１サイクルの冷媒と熱交換し高温、高圧となった冷媒が、発電機を組み付けられた膨張機に流入し、発電を行い、低温、低圧となり、第１サイクルの熱交換器に流入し熱交換を行い、冷媒ポンプに入り昇圧され凝縮器に戻る事により、構成されている。従来、凝縮器から冷媒を冷却するために大気に放出されていた、第１サイクルの未利用の熱エネルギーを、凝縮器における第２サイクルの冷媒との熱交換により活用し、第２サイクルの冷媒を昇温し、その膨張力による第２サイクルの発電能力に、従来の第１サイクルの第１室内熱交換器の冷房能力に加える事により、全体の冷房能力と冷房効率を向上させる事ができることを特徴とする複合空調装置。
【請求項１５】
暖房において、第１サイクルは、圧縮機と四方弁と第１室内熱交換器と四方弁と凝縮器と受液器（図示略）と膨張弁と四方弁と熱交換器を冷媒が循環する様に順番に冷媒配管で接続し、圧縮機により圧縮され、高温、高圧となった第１サイクルの冷媒が四方弁を介し第１室内熱交換器に流入し暖房を行い、四方弁を経て凝縮器に流入し、第２サイクルの冷媒と熱交換を行い、受液器（図示略）を経て膨張弁に流入した後、低温、低圧となり、四方弁を経て、熱交換器において第２サイクルの冷媒と熱交換を行い、圧縮機に戻る事により、冷凍サイクルが構成されている。第２サイクルは、第１サイクルの凝縮器と四方弁を介して、第２室内熱交換器と四方弁を介して第１サイクルの熱交換器と第２受液器（図示略）と第２サイクルの膨張弁と四方弁を経て冷媒ポンプを冷媒が循環する様に順番に冷媒配管で接続し、凝縮器において第１サイクルの冷媒と熱交換し高温、高圧となった冷媒が、四方弁を介して第２室内熱交換器に流入し、暖房を行い、四方弁を介して第１サイクルの熱交換器に流入し熱交換を行い、第２受液器（図示略）を経て第２の膨張弁において膨張し低温、低圧となり四方弁を経て冷媒ポンプに入り、昇圧され凝縮器に戻る事により、冷凍サイクルが構成されている。従来、凝縮器から冷媒を冷却するために大気に放出されていた、第１サイクルの未利用の熱エネルギーを、凝縮器における第２サイクルの冷媒との熱交換により活用し、第２サイクルの高温、となった冷媒により第２室内熱交換器において暖房を行う。この様に従来の第１サイクルの第１室内熱交換器の暖房能力に、第２サイクルの第２室内熱交換器の暖房能力加える事により、全体の暖房能力と暖房効率を大幅に向上させる事ができることを特徴とする複合空調装置。
【請求項１６】
暖房において、第１サイクルは、圧縮機と四方弁と第１室内熱交換器と四方弁と凝縮器と受液器（図示略）と膨張弁と四方弁と熱交換器を冷媒が循環する様に順番に冷媒配管で接続し、圧縮機により圧縮され、高温、高圧となった第１サイクルの冷媒が四方弁を介し第１室内熱交換器に流入し暖房を行い、四方弁を経て凝縮器に流入し、第２サイクルの冷媒と熱交換を行い、受液器（図示略）を経て膨張弁に流入した後に低温、低圧となり、四方弁を経て熱交換器において第２サイクルの冷媒と熱交換を行い、圧縮機に戻る事により、冷凍サイクルが構成されている。第２サイクル発電サイクルは、第１サイクルの凝縮器と第２サイクルの発電機を組み付けられた膨張機と第１サイクルの熱交換器と冷媒ポンプを冷媒が循環する様に順番に冷媒配管で接続し、凝縮器において第１サイクルの冷媒と熱交換し高温、高圧となった冷媒が、第２サイクルの発電機を組み付けられた膨張機に流入し、発電を行い、熱交換器において第１サイクルの冷媒と熱交換を行い、冷媒ポンプにより昇圧され、凝縮器に戻る事により、構成されている。従来、凝縮器から冷媒を冷却するために大気に放出されていた、第１サイクルの未利用の熱エネルギーを、凝縮器における第２サイクルの冷媒との熱交換により活用し、第２サイクルの高温、となった冷媒により第２サイクルの膨張機において発電を行う。この様に従来の第１サイクルの第１室内熱交換器の暖房能力に、第２サイクルの発電能力を加える事により、全体の暖房能力と暖房効率を大幅に向上させる事ができることを特徴とする複合空調装置。
【請求項１７】
請求項９又は１０又は１１又は１２又は１３又は１４又は１５は１６において、第１サイクルと、第２サイクルに、それぞれ複数の室内熱交換器を有しており、室内熱交換器を個々に直列に重ねて配置するなど、それぞれの冷房特性に合った組み合わせが出来ることを特徴とする複合空調装置。
【請求項１８】
請求項２又は３又は４又は５又は６又は７又は８又は９又は１０又は１１又は１２又は１３又は１４又は１５は１６において、従来の室外熱交換器を廃して一体型の屋内冷凍装置であることを特徴とする複合空調装置。
【請求項１９】
請求項２又は３又は４又は５又は６又は７又は８又は９又は１０又は１１又は１２又は１３又は１４又は１５は１６において、第１サイクルの冷媒と、第２サイクルの冷媒をそれぞれの特性に合った異なった冷媒、水、ブライン等、を用いることを特徴とする複合空調装置。
【発明の詳細な説明】
【技術分野】
【０００１】本発明は、逆カルノーサイクルの冷凍サイクルの第１サイクルと、冷凍サイクル及び、カルノーサイクルの発電サイクルの第２サイクルからなる、複合サイクルを用いて、従来、凝縮器から冷媒を冷却するために大気に放出され、捨てられていた、未利用の熱エネルギーを、第２サイクルの冷媒との熱交換により活用する。
冷房において、第２サイクルに冷凍サイクルを用いる場合は、まず第１サイクルの圧縮機により圧縮され、高圧、高温となった第１サイクルの冷媒は凝縮器に流入し、第２サイクルの冷媒を昇温する。そして第１サイクルの冷媒は膨張弁を通過し低圧、低温となり、第１室内熱交換器により冷房を行う。また第１サイクルの冷媒により凝縮器において昇温された、第２サイクルの冷媒は、熱交換器を経て第２サイクルの膨張弁より低圧、低温となり第２室内熱交換器により冷房を行い、冷媒ポンプにより昇圧されて凝縮器に戻る。これにより第１室内熱交換器の冷房能力に、従来、大気に放出され、捨てられていた熱エネルギーを活用した、第２室内熱交器の冷房能力が加えられるので、大幅な冷房効率の向上となる。
第２サイクルにカルノーサイクルの発電サイクルを用いる場合は、第１サイクルの凝縮器における熱交換により高温、高圧となった第２サイクルの冷媒の膨張機による駆動力で、発電を行い、第１サイクルの圧縮機と第２サイクルの冷媒ポンプの駆動を補助する。
また、暖房において、第２サイクルに冷凍サイクルを用いる場合は、まず第１サイクルの圧縮機により圧縮され、高圧、高温となった第１サイクルの冷媒は室内熱交器に流入し暖房を行う。そして第１サイクルの冷媒は凝縮器に流入し、第２サイクルの冷媒との熱交換により降温し、さらに第１サイクルの膨張弁を通過し低圧、低温となり熱交換器を経て第１サイクルの圧縮機に戻る。また第１サイクルの冷媒により昇温された、第２サイクルの冷媒は、第２室内熱交換器により暖房を行い、熱交換器を経て第２サイクルの膨張弁により低圧、低温となり冷媒ポンプにより送られて凝縮器に戻る。これにより室内熱交換器の暖房能力に、従来、大気に放出され、捨てられていた熱エネルギーを活用した、第２室内熱交器の暖房能力が加えられるので、大幅な暖房効率の向上となる。
第２サイクルにカルノーサイクルの発電サイクルを用いる場合は、第１サイクルの凝縮器における熱交換により高温、高圧となった第２サイクルの冷媒の膨張機による駆動力で、発電を行い、第１サイクルの圧縮機と第２サイクルの冷媒ポンプの駆動を補助する。
これにより、暖暖房効率の向上または、膨張機による発電により、空調装置の消費電力を大幅に低減する事が出来る複合空調装置に関するものである。
また、従来の凝縮器からの排熱の放出に比べて、本装置の排熱の放出は極めて少ないので、ヒートアイランド現象の対策におおいに有効であり、さらに、従来の室外熱交換器を廃して屋内一体型の空調装置をも可能とする複合空調装置に関するものである。
【背景技術】
【０００２】現在、世界的に逆カルノーサイクルを原理とした空調装置は、そのエネルギー効率の高さから将来の低炭素社会への有力な切り札となっている。また、日本における空調装置の技術は順調に発展し、世界をリードするに至っている。こういった環境において空調装置の更なる性能向上及び、空調装置技術の有効利用が求められている。【０００３】現在、世界的に逆カルノーサイクルを原理とした空調装置は、そのエネルギー効率の高さから、将来の低炭素社会への有力な切り札となっている。また、日本における空調装置の技術は順調に発展し、世界をリードするに至っている。こういった環境において空調装置の更なる性能向上及び、空調技術の有効利用が求められている。
こういった環境において逆カルノーサイクルの冷凍サイクルと冷媒サイクル及び、カルノーサイクルを複合的に、活用した空調装置の社会的な意義は計りしれない。
【特許文献】
【０００４】
【特許文献１】特許２５４６８６８
【特許文献２】特許４５４６１８８
【発明の概要】
【０００５】本発明は、逆カルノーサイクルの冷凍サイクルの第１サイクルと、冷凍サイクル及び、カルノーサイクルの発電サイクルの第２サイクルからなる、複合サイクルを用いて、従来、凝縮器から冷媒を冷却するために大気に放出され、捨てられていた、未利用の熱エネルギーを、第２サイクルの冷媒との熱交換により活用する。
冷房において、第２サイクルに冷凍サイクルを用いる場合は、まず第１サイクルの圧縮機により圧縮され、高圧、高温となった第１サイクルの冷媒は凝縮器に流入し、第２サイクルの冷媒を昇温する。そして第１サイクルの冷媒は膨張弁を通過し低圧、低温となり、第１室内熱交換器により冷房を行う。また第１サイクルの冷媒により凝縮器において昇温された、第２サイクルの冷媒は、熱交換器を経て第２サイクルの膨張弁より低圧、低温となり第２室内熱交換器により冷房を行い、冷媒ポンプにより昇圧されて凝縮器に戻る。これにより第１室内熱交換器の冷房能力に、従来、大気に放出され、捨てられていた熱エネルギーを活用した、第２室内熱交器の冷房能力が加えられるので、大幅な冷房効率の向上となる。
第２サイクルにカルノーサイクルの発電サイクルを用いる場合は、第１サイクルの凝縮器における熱交換により高温、高圧となった第２サイクルの冷媒の膨張機による駆動力で、発電を行い、第１サイクルの圧縮機と第２サイクルの冷媒ポンプの駆動を補助する。
また、暖房において、第２サイクルに冷凍サイクルを用いる場合は、まず第１サイクルの圧縮機により圧縮され、高圧、高温となった第１サイクルの冷媒は室内熱交器に流入し暖房を行う。そして第１サイクルの冷媒は凝縮器に流入し、第２サイクルの冷媒との熱交換により降温し、さらに第１サイクルの膨張弁を通過し低圧、低温となり熱交換器を経て第１サイクルの圧縮機に戻る。また第１サイクルの冷媒により昇温された、第２サイクルの冷媒は、第２室内熱交換器により暖房を行い、熱交換器を経て第２サイクルの膨張弁により低圧、低温となり冷媒ポンプにより送られて凝縮器に戻る。これにより室内熱交換器の暖房能力に、従来、大気に放出され、捨てられていた熱エネルギーを活用した、第２室内熱交器の暖房能力が加えられるので、大幅な暖房効率の向上となる。
第２サイクルにカルノーサイクルの発電サイクルを用いる場合は、第１サイクルの凝縮器における熱交換により高温、高圧となった第２サイクルの冷媒の膨張機による駆動力で、発電を行い、第１サイクルの圧縮機と第２サイクルの冷媒ポンプの駆動を補助する。
これにより、暖暖房効率の向上または、膨張機による発電により、空調装置の消費電力を大幅に低減する事が出来る複合空調装置に関するものである。
また、従来の凝縮器からの排熱の放出に比べて、本装置の排熱の放出は極めて少ないので、ヒートアイランド現象の対策におおいに有効であり、さらに、従来の室外熱交換器を廃して屋内一体型の空調装置をも可能とする複合空調装置である。
【発明が解決しようとする課題】
【０００６】現在、電気は、大規模な発電施設で発電するか、工場等での自家発電、各家庭等での個別の小規模発電で作られているが、大規模発電である原子力は事故時の被害の甚大さや核燃料廃棄物処理の問題、火力や天然ガスはＣＯ２を排出し、水力及び、地熱、太陽熱、太陽光、風力等の再生可能エネルギーは規模や建設場所等の問題がある。工場等の自家発電も、ＣＯ２排出や燃料価格の変動等の問題があり、各家庭での太陽光、風力等の再生可能エネルギー利用は、共に気候に左右され不安定であり、また規模も限られる。この様な状況のなかで、より一層、エネルギーの有効利用を促進する必要が有る。
【課題を解決するための手段】
【０００７】本発明は、逆カルノーサイクルの冷凍サイクルの第１サイクルと、冷凍、冷媒サイクル及び、カルノーサイクルの発電サイクルの第２サイクルからなる複合サイクルを用いて、従来、冷却するためだけに凝縮器から大気に放出され、捨てられていた、未利用の熱エネルギーを、第２サイクルの冷媒との熱交換により活用する。
第１サイクルの冷媒と、第２サイクルの冷媒を巧妙に熱交換し利用する事により、全体の冷暖房能力を向上させる事ができる複合空調装置である。さらに、第２サイクルの膨張弁の替わりに膨張機を取り付けその駆動力を利用して発電を行い、第１サイクルの圧縮機と第２サイクルの冷媒ポンプの駆動を補助する。
これにより、空調装置の消費電力を大幅に低減する事のできる、複合空調装置である。
前記課題を解決するためには、本発明は冷媒サイクルを複合的に組み合わせる事により、従来、捨てられていた大気の熱エネルギーを活用して発電を行い、さらに複合サイクルの熱交換により、空調装置の消費電力を大幅に低減する事のできる複合空調装置であり、新しい自然エネルギーの有効利用として極めて有用である。
【発明の効果】
【０００８】本発明は大気の熱エネルギーを利用する為、一年中２４時間安定稼働が可能な省電力、複合空調装置であり、各戸別、及び大規模施設、工場等、どこにでも設置可能である。
また、室外機等による排熱の放出が極めて少ないので、室内設置も可能であり、さらにヒートアイランド現象の対策におおいに有効である。
【発明を実施するための形態】
【０００９】以下、本発明による複合空調装置を図１、図２、図３、図４、図５、図６、図７、図８に示す全体の構成図に基づいて説明する。
【００１０】図１、において冷房のときは、第１サイクルの圧縮機１は外部駆動機１６により駆動される。
圧縮され高温、高圧となった１サイクルの冷媒は四方弁２１を介して冷媒配管１１、８を経て、凝縮器３に流入し、第２サイクルの冷媒ポンプ６により昇圧された第２サイクルの冷媒と熱交換を行い、低温となり排出され冷媒配管９から受液器（図示略）を経て膨張弁２に入る
【００１１】図１、において第１サイクルの冷媒は膨張弁２により膨張し低温、低圧となる。
【００１２】図１、において膨張弁２により膨張し低温、低圧となった第１サイクルの冷媒は四方弁２１により第１室内熱交換器５ａに入り、冷房をおこない、四方弁２１を通り、熱交換器４において第２サイクルの冷媒と熱交換を行い、冷媒配管１０を経て、圧縮機１に戻る。
【００１３】図１、において凝縮器３を介して昇温された、第２サイクルの冷媒は四方弁２１を通り冷媒配管１３、１４、１５を経て、熱交換器４において第１サイクルの冷媒と熱交換を行い、冷媒配管１２から四方弁２１を通り、受液器（図示略）を経て第２サイクルの膨張弁２０により膨張し低温、低圧となる。
【００１４】図１、において膨張弁２より膨張し低温、低圧となった第２サイクルの冷媒は第２室内熱交換器５ｂに入り冷房をおこない、冷媒ポンプ６に流入する。
【００１５】図１、において冷媒ポンプ６により昇圧された第２サイクル冷媒は、四方弁２１を介して、凝縮器３に戻る。
【００１６】図２、において冷房のときは、第１サイクルの圧縮機１は外部駆動機１６により駆動される。
圧縮され高温、高圧となった１サイクルの冷媒は四方弁２１を介して冷媒配管１１を経て凝縮器３に流入し、第２サイクルの冷媒ポンプ６により昇圧された第２サイクルの冷媒と熱交換を行い、低温となり排出され冷媒配管８から受液器（図示略）を経て膨張弁２に入る
【００１７】図２、において第１サイクルの冷媒は膨張弁２により膨張し低温、低圧となる。
【００１８】図２、において膨張弁２により膨張し低温、低圧となった第１サイクルの冷媒は冷媒配管９を経て四方弁２１により第１室内熱交換器５ａに入り、冷房をおこない、四方弁２１を通り、熱交換器４において第２サイクルの冷媒と熱交換を行い、冷媒配管１０を経て、圧縮機１に戻る。
【００１９】図２、において凝縮器３を介して昇温された、第２サイクルの冷媒は冷媒配管１４を経て四方弁２１を通り、第２サイクルの膨張機７に流入し、駆動力を発生させ、発電機１９を駆動し発電を行う。
【００２０】図２、において膨張機７より膨張し低温、低圧となった第２サイクルの冷媒は冷媒配管１５を経て、熱交換器４において第１サイクルの冷媒と熱交換を行い、冷媒配管１２から冷媒ポンプ６に流入する。
【００２１】図２、において冷媒ポンプ６により昇圧された第２サイクル冷媒は、凝縮器３に戻る
【００２２】図３、において暖房のときは、第１サイクルの圧縮機１は外部駆動機１６により駆動される。
圧縮され高温、高圧となった１サイクルの冷媒は冷媒配管１０を経て四方弁２１を介して第１室内熱交換器５ａに流入し暖房を行い、四方弁２１を介し、熱交換器４において、第２サイクルの冷媒と熱交換して低温となり、四方弁２１を介して受液器（図示略）を経て膨張弁２に入る。
【００２３】図３、において第１サイクルの冷媒は膨張弁２により膨張し低温、低圧となる。
【００２４】図３、において膨張弁２により膨張し低温、低圧となった第１サイクルの冷媒は、冷媒配管９を経て、凝縮器３において第２サイクルの冷媒と熱交換し、圧縮機１に戻る。
【００２５】図３、において凝縮器３において第１サイクルの冷媒と熱交換した第２サイクルの冷媒は、四方弁２１を介し、冷媒配管１２を経て、熱交換器４において、第１サイクルの冷媒と熱交換を行い昇温し、冷媒配管１５を通り、四方弁２１を介して、冷媒配管１４，１３を経て四方弁２１を通り、冷媒ポンプ６に流入する。
【００２６】図３、において冷媒ポンプ６により送られた第２サイクル冷媒は、第２室内熱交換器５ｂに流入し暖房を行い、膨張弁２０により膨張し低温、低圧となり、四方弁２１を介して凝縮器３に戻る。
【００２７】図４、において暖房のときは、第１サイクルの圧縮機１は外部駆動機１６により駆動される。
圧縮され高温、高圧となった１サイクルの冷媒は冷媒配管１０を経て四方弁２１を介して第１室内熱交換器５ａに流入し暖房を行い、四方弁２１を介し、熱交換器４において、第２サイクルの冷媒と熱交換して低温となり、四方弁２１を介して冷媒配管９を通り受液器（図示略）を経て膨張弁２に入る。
【００２８】図４、において第１サイクルの冷媒は膨張弁２により膨張し低温、低圧となる。
【００２９】図４、において膨張弁２により膨張し低温、低圧となった第１サイクルの冷媒は、冷媒配管８を経て、凝縮器３において第２サイクルの冷媒と熱交換し、四方弁２１を介して圧縮機１に戻る。
【００３０】図４、において、凝縮器３において第１サイクルの冷媒と熱交換した、第２サイクルの冷媒は、冷媒配管１３を通って冷媒ポンプ６に入り、冷媒配管１２を通り、熱交換器４に流入し、第１サイクルの冷媒との熱交換により昇温し、冷媒配管１５を通り、四方弁２１を介して第２サイクルの膨張機７に流入する。
【００３１】図４、において、第２サイクルの膨張機７に流入した冷媒は膨張し、駆動力を発生させ、２サイクルの発電機の１９を駆動し発電を行う。
【００３２】図４、において第２サイクルの膨張機７より膨張し低温、低圧となった第２サイクルの冷媒は四方弁２１を介して冷媒配管１４を経て、凝縮器３に戻る。
【００３３】図５、において冷房のときは、第１サイクルの圧縮機１は外部駆動機１６により駆動される。
圧縮され高温、高圧となった１サイクルの冷媒は冷媒配管１１を経て四方弁２１を介して、凝縮器３に流入し、第２サイクルの冷媒ポンプ６により昇圧された第２サイクルの冷媒と熱交換を行い、低温となり排出され冷媒配管８から受液器（図示略）を経て膨張弁２に入る
【００３４】図５、において第１サイクルの冷媒は膨張弁２により膨張し低温、低圧となる。
【００３５】図５、において膨張弁２により膨張し低温、低圧となった第１サイクルの冷媒は、冷媒配管９を経て四方弁２１により第１室内熱交換器５ａに入り、冷房をおこない、四方弁２１を通り冷媒配管１０を経て、熱交換器４において第２サイクルの冷媒と熱交換を行い、圧縮機１に戻る。
【００３６】図５、において凝縮器３を介して昇温された、第２サイクルの冷媒は四方弁２１を通り冷媒配管１５を経て、熱交換器４において第１サイクルの冷媒と熱交換を行い、受液器（図示略）を経て第２サイクルの膨張弁２０により膨張し低温、低圧となる。
【００３７】図５、において膨張弁２０より膨張し低温、低圧となった第２サイクルの冷媒は、冷媒配管１２から四方弁２１を通り、第２室内熱交換器５ｂに入り冷房をおこない、四方弁２１を介して、冷媒配管１３から、冷媒ポンプ６に流入する。
【００３８】図５、において冷媒ポンプ６により昇圧された第２サイクル冷媒は、冷媒配管１４を経て、凝縮器３に戻る。
【００３９】図５、において、第２サイクル冷媒は温度センサー１７により温度を検知され、冷媒ポンプ６の冷媒循環量を制御装置１８により制御される事によって、適正な温度に保たれる。
【００４０】図６、において冷房のときは、第１サイクルの圧縮機１は外部駆動機１６により駆動される。
圧縮され高温、高圧となった１サイクルの冷媒は冷媒配管１１を経て四方弁２１を介して、凝縮器３に流入し、第２サイクルの冷媒ポンプ６により昇圧された第２サイクルの冷媒と熱交換を行い、低温となり排出され冷媒配管８から受液器（図示略）を経て膨張弁２に入る
【００４１】図６、において第１サイクルの冷媒は膨張弁２により膨張し低温、低圧となる。
【００４２】図６、において膨張弁２により膨張し低温、低圧となった第１サイクルの冷媒は四方弁２１により第１室内熱交換器５ａに入り、冷房をおこない、四方弁２１を通り、熱交換器４において第２サイクルの冷媒と熱交換を行い、冷媒配管１０を経て、圧縮機１に戻る。
【００４３】図６、において凝縮器３を介して昇温された、第２サイクルの冷媒は冷媒配管１５を経て、第２サイクルの膨張機７に流入し、駆動力を発生させ、発電機１９を駆動し発電を行う。
【００４４】図６、において膨張機７より膨張し低温、低圧となった第２サイクルの冷媒は冷媒配管１２を経て、熱交換器４において第１サイクルの冷媒と熱交換を行い、冷媒配管１３から冷媒ポンプ６に流入する。
【００４５】図６、において冷媒ポンプ６により昇圧された第２サイクル冷媒は、冷媒配管１４を経て、凝縮器３に戻る
【００４６】図７、において暖房のときは、第１サイクルの圧縮機１は外部駆動機１６により駆動される。
圧縮され高温、高圧となった１サイクルの冷媒は冷媒配管１１を経て四方弁２１を介して第１室内熱交換器５ａに流入し暖房を行い、四方弁２１を介し、凝縮器３において、第２サイクルの冷媒と熱交換して低温となり、受液器（図示略）を経て膨張弁２に入る。
【００４７】図７、において第１サイクルの冷媒は膨張弁２により膨張し低温、低圧となる。
【００４８】図７、において膨張弁２により膨張し低温、低圧となった第１サイクルの冷媒は、冷媒配管９を経て、熱交換器４において第２サイクルの冷媒と熱交換し、圧縮機１に戻る。
【００４９】図７、において凝縮器３において第１サイクルの冷媒と熱交換を行い昇温した第２サイクルの冷媒は、四方弁２１を介し、冷媒配管１５を経て、四方弁２１を介して、第２室内熱交換器５ｂに流入し暖房を行い、四方弁２１を通り、熱交換器４に流入する。
【００５０】図７、において熱交換器４を流出した第２サイクル冷媒は、膨張弁２０により膨張し低温、低圧となり、四方弁２１を介して冷媒ポンプ６を経て凝縮器３に戻る。
【００５１】図７、において、第２サイクル冷媒は温度センサー１７により温度を検知され、冷媒ポンプ６の冷媒循環量を制御装置１８により制御される事によって、適正な温度に保たれる。
【００５２】図８、において暖房のときは、第１サイクルの圧縮機１は外部駆動機１６により駆動される。
圧縮され高温、高圧となった１サイクルの冷媒は冷媒配管１１を経て四方弁２１を介して第１室内熱交換器５ａに流入し暖房を行い、四方弁２１を介し、凝縮器３において、第２サイクルの冷媒と熱交換して低温となり、冷媒配管８を通り受液器（図示略）を経て膨張弁２に入る。
【００５３】図８、において第１サイクルの冷媒は膨張弁２により膨張し低温、低圧となる。
【００５４】図８、において膨張弁２により膨張し低温、低圧となった第１サイクルの冷媒は、冷媒配管９を経て、熱交換器４において第２サイクルの冷媒と熱交換し、冷媒配管１０を通り圧縮機１に戻る。
【００５５】図８、において、凝縮器３において第１サイクルの冷媒と熱交換した、第２サイクルの冷媒は、冷媒配管１５を通って、第２サイクルの膨張機７に流入する。
【００５６】図８、において、第２サイクルの膨張機７に流入した冷媒は膨張し、駆動力を発生させ、２サイクルの発電機の１９を駆動し発電を行う。
【００５７】図８、において第２サイクルの膨張機７より膨張し低温、低圧となった第２サイクルの冷媒は冷媒配管１２を経て、熱交換器４に流入し、第１サイクルの冷媒との熱交換を行い、冷媒配管１３を通り、冷媒ポンプ６に入り、冷媒配管１４を通り、凝縮器３に戻る。
【００５８】図１、図２、図３、において、第１室内熱交換器５ａと第２室内熱交換器５ｂの冷暖房能力には違いが生じるが、それぞれを、一組にして運用する事などにより、冷暖房能力は大幅に向上する。
【００５９】ここで、別案の複合空調装置が冷房の場合の第１サイクルの具体的な運転状態について、図９、のＰ−ｈ（モリエル）線図により説明する。
逆カルノーサイクルの第１サイクルにおける、点Ａは圧縮機１に供給される冷媒の状態（例えば圧力０．４９８ＭＰａ、５℃）を示し、駆動機１６で駆動される圧縮機１により圧縮され、高圧、高温となり、点Ｂにおいては（例えば圧力１．７３ＭＰａ、７０℃）となる。点Ａから点Ｂへの状態変化は、等エントロピー変化となる。点Ｃは凝縮器３から流出した冷媒の状態を示し（例えば圧力１．７３ＭＰａ、３４℃）となる。点Ｄは膨張弁２により膨張した後の、室内熱交換器５ａの入口における冷媒の状態を示し（例えば圧力０．４９８ＭＰａ、０℃）となる。点Ｃから点Ｄへの状態変化は、等比エンタルピー変化となる。
第１サイクルの冷媒は、点Ｄ、の状態から、室内熱交換器５ａにおいて冷房をおこない、熱交換器４を経て点Ａの状態に戻る。
【００６０】ここで、別案の複合冷凍装置が冷房の場合で第２サイクルが発電サイクルの場合の具体的な運転状態について、図１０、のＰ−ｈ（モリエル）線図により説明する。
カルノーサイクルの第２サイクルにおける、点Ｘは第２サイクルの膨張機７に供給される冷媒の状態（例えば圧力０．２５２ＭＰａ、４７℃）を示し、第２サイクルの膨張機７により膨張し、第２サイクルの発電機１９により発電を行い、低圧となった冷媒は、点Ｗにおいては（例えば圧力０．０６７ＭＰａ、１２℃）となる。点Ｘから点Ｗへの状態変化は、等エントロピー変化となる。点Ｚは熱交換器４から流出した冷媒の状態を示し（例えば圧力０．０６７ＭＰａ、５℃）となる。点Ｙは冷媒ポンプ６により昇圧された、凝縮器３の入口における冷媒の状態を示し（例えば圧力０．２５２Ｐａ、３４℃）となる。点Ｚから点Ｙへの状態変化は、等エントロピー変化となる。第２サイクルの冷媒は凝縮器３により、第１サイクルの冷媒との熱交換で昇温され、点Ｙの状態から、点Ｘの状態に戻る。
【００６１】ここで、別案の複合冷凍装置の発電量について、図１０のＰ−ｈ（モリエル）線図により説明する。この図において、膨張機７、冷媒ポンプ６の全断熱効率が１であり、発電機１９の発電効率が１００％であり、配管、その他、機器等のいかなる損失も無い場合に得られる理論電力は、カルノーサイクルの第２サイクルより発生する比エンタルピーの値、第２サイクルの膨張機２７の理論膨張動力Δｋに、冷媒の循環流量を乗じた値となる。
【図面の簡単な説明】
【図１】冷房時の複合空調装置の第２サイクルが冷凍サイクルの場合示す構成図。
【図２】冷房時の複合空調装置の第２サイクルがカルノーサイクルの発電サイクルの場合示す構成図。
【図３】暖房時の複合空調装置の第２サイクルが冷媒サイクルの場合示す構成図。
【図４】暖房時の複合空調装置の第２サイクルがカルノーサイクルの発電サイクルの場合示す構成図。
【図５】別案の冷房時の複合空調装置の第２サイクルが冷凍サイクルの場合示す構成図。
【図６】別案の冷房時の複合空調装置の第２サイクルがカルノーサイクルの発電サイクルの場合示す構成図。
【図７】別案の暖房時の複合空調装置の第２サイクルが冷媒サイクルの場合示す構成図。
【図８】別案の暖房時の複合空調装置の第２サイクルがカルノーサイクルの発電サイクルの場合示す構成図。
【図９】複合空調装置の冷房の場合の第１サイクルのＰ−ｈ線図。
【図１０】複合空調装置の冷房の場合で第２サイクルが発電サイクルの場合のＰ−ｈ線図。
【符号の説明】
【００６２】１・・・第１サイクルの圧縮機、２・・・第１サイクルの膨張弁、３・・・凝縮器、４・・・熱交換器、５ａ・・・第１室内熱交換器、５ｂ・・・第２室内熱交換器、６・・・冷媒ポンプ、７・・・第２サイクルの膨張機、８、９、１０、１１・・・第１サイクルの冷媒配管、１２、１３、１４，１５・・・第２サイクルの冷媒配管、１６・・・駆動機、１７・・・温度センサー、１８・・・制御装置、１９・・・第２サイクル発電機、２０・・・第２サイクルの膨張弁、２１・・・四方弁、
【図１】
2016001098.tif 000003
【図２】
2016001098.tif 000004
【図３】
2016001098.tif 000005
【図４】
2016001098.tif 000006
【図５】
2016001098.tif 000007
【図６】
2016001098.tif 000008
【図７】
2016001098.tif 000009
【図８】
2016001098.tif 000010
【図９】
2016001098.tif 000011
【図１０】
2016001098.tif 000012